(57)【特許請求の範囲】
【請求項１】
道糸の所定位置に形成され又は固定されたウキ止めとウキ本体とを備えた仕掛けであって、ウキ本体と、前記ウキ止めより大きい孔径で前記ウキ本体に貫通して形成された道糸挿通孔と、前記道糸挿通孔の後端開口に前記ウキ止めより小さい溝幅で一方向に拡径して形成されたウキ止め掛止部と、前記道糸挿通孔の軸心に対して前記ウキ止め掛止部側及び／又はその反対側のウキ本体の後端よりに設けられた環状掛止部と、前記ウキ止め掛止部側と反対側の前記環状掛止部に基端側が取り付けられ、他端側に道糸が通される環状部を有したスイベル等のウキ止め規制部と、を有することを特徴とする仕掛け。
【請求項２】
前記道糸挿通孔の前端開口及び／又は後端開口に一様に拡径して形成されたウキ止め導入部を有することを特徴とする請求項１に記載の仕掛け。
【請求項３】
前記ウキ本体の前記ウキ止め掛止部側に埋設された錘を備えていることを特徴とする請求項１又は２に記載の仕掛け。
【発明の詳細な説明】
【０００１】
【発明の属する技術分野】
本発明は風、波浪、潮流などの多様な海象条件の下で、比較的深い遊泳層の魚群を釣るのに好適な仕掛けに関する。
【０００２】
【従来の技術】
近年、海や川、湖沼等における釣り方法の多様化に応じて、種々の形態の釣り用ウキが開発されている。
このような釣り用ウキには、魚信を探知するための当たりウキや、ウキ下の張りを調整するため等に用いる水中ウキがあり、道糸挿通孔が内部に形成された中通しウキや、道糸が固定されて用いられる環付きウキ等のタイプがある。
形態的には上下に円錐を張り合わせた形態の円錐ウキや、どんぐり状ウキ、涙滴形ウキ、棒状ウキ等があり、その使用時の条件に応じてこれら釣り用ウキの内から選択されて用いられている。
【０００３】
【発明が解決しようとする課題】
しかしながら、前記従来の釣り用ウキにおいては、以下のような課題を有していた。
（１）道糸上に固定される環付きウキの場合には、釣り針に掛かった魚を手元に手繰り寄せるためにウキと釣り針間の長さがほぼ竿の長さになるように固定されるので、ウキにより魚信を探知して釣りのできる領域が浅い遊泳層に限定され、比較的深い遊泳層の魚を釣るのが困難であるという課題があった。
（２）従来の中通しウキの場合には、ウキ本体が道糸に固定されていないために竿を引いた時に道糸が道糸挿通用孔内を遊動してその反応が鈍くなるという欠点があり、ラインコントロールの操作が困難であるため、風、波浪、潮流などで多様に変動する海象条件の下で魚を効果的に釣ることが困難であるという課題があった。
（３）ウキ本体を水に浮べた時にその姿勢を所定方向に制御するための錘等を取り付ける部材がないので、ウキ下の重量や鉛玉等の重錘、釣り針、餌、潮の流れ等の実際の釣り場の条件に合わせてウキ本体を含む仕掛けを適正に調整して、魚の食いを誘うように操作することが困難であるという課題があった。
【０００４】
本発明は上記従来の課題を解決するもので、必要に応じて道糸上の所定位置にウキ本体を固定してラインコントロール性を高めることができ、比較的深い遊泳層までの魚を広く効果的に探ることができると共に、ウキ下の重量や潮の流れ等の実際の釣り場の条件に合わせてウキ本体を含む仕掛けを適正に調整して魚の食いを誘うことができる釣り用ウキを備える仕掛け提供することを目的とする。
【０００５】
上記目的を達成するために本発明は以下の構成を有している。
請求項１に記載の仕掛けは、道糸の所定位置に形成され又は固定されたウキ止めとウキ本体とを備えた仕掛けであって、ウキ本体と、前記ウキ止めより大きい孔径で前記ウキ本体に貫通して形成された道糸挿通孔と、前記道糸挿通孔の後端開口に前記ウキ止めより小さい溝幅で一方向に拡径して形成されたウキ止め掛止部と、前記道糸挿通孔の軸心に対して前記ウキ止め掛止部側及び／又はその反対側のウキ本体の後端よりに設けられた環状掛止部と、前記ウキ止め掛止部側と反対側の前記環状掛止部に基端側が取り付けられ、他端側に道糸が通される環状部を有したスイベル等のウキ止め規制部と、を有して構成されている。
この構成によって以下の作用が得られる。
（ａ）道糸挿通孔がウキ止めより大きい孔径を有しているので、道糸に固定されたウキ止めが道糸挿通孔内を通過でき、竿の長さに比較して深い遊泳層で釣られた魚でも無理なく手もとに取り込むことができ操作性に優れている。
（ｂ）ウキ本体が道糸に固定されず、所定範囲内で移動できる遊動ウキとして機能させることができる。また、道糸挿通孔の後端開口にウキ止めより小さい溝幅で一方向（後端開口方向）に拡径して形成されたウキ止め掛止部を有しているので、竿の操作等によりウキ止めをウキ止め掛止部の溝の後端開口部に掛止させ、釣り用ウキを道糸に固定された固定ウキとしても機能させることができる。こうして、潮流や天候、時間等で変化する釣り条件に応じて、ウキ本体を遊動ウキ又は固定ウキとして切り変えて用いることもでき、上層から下層にわたる広範囲の遊魚層の魚を効率的に探ることで顕著な釣果を得ることができる。
（ｃ）ウキ止めをウキ止め掛止部に掛止させずに遊動ウキとして機能させた場合には、釣り針の動きがウキ本体に直接的に作用しないので、魚を誘う自然な動きを容易に演出することができる。また、ウキ止めをウキ止め掛止部に掛止させウキの遊動を止めることにより、ウキの棚を変えないで、エサを先行させることができ、ウキ本体の動きによる魚信の検知を鋭敏にして、初心者でも容易に当たりを知ることができる。
（ｄ）竿の操作により遊動ウキ又は固定ウキとして切り替えることができるので、釣技を発揮しながら魚を釣ることで釣りの醍醐味をさらに増すことができる。
（ｅ）道糸挿通孔と、ウキ止め掛止部と、環状掛止部と、ウキ止め規制部と、を備えたウキ本体を用いることで仕掛けにラインコントール性が付与されるので、釣り方法の幅を広げて多様な種類の魚を釣ることができる。
（ｆ）ウキ本体が道糸挿通孔と、ウキ止め掛止部とで簡単に構成できるので、製作が容易であり経済性に優れる。
【０００６】
（ｇ）ウキ本体に設けられた環状掛止部にウキ本体の姿勢や沈下度等を調整するための錘や、回転できる自在継ぎ手（スイベルジョイント）等を必要に応じていつでも、しかも簡単に取り付けることができ、釣りにおける様々なバリエーションに対応でき、利便性に優れている。
（ｈ）環状掛止部がウキ本体のウキ止め掛止部側及び／又はその反対側に設けられているので、ここに錘やスイベル等を取り付けた場合は、ウキ止め掛止部の溝を垂直方向に向けて位置付けることができ、道糸を垂直方向に動かす際におけるウキ止め掛止機能をより効果的に発揮させることができる。
（ｉ）環状掛止部を道糸挿通孔の後端よりに配置し、ここに錘を取り付けた場合には、道糸挿通孔の軸を水平面に対して斜めに傾けた状態に安定させることができ、ウキ本体の道糸挿通孔を通る道糸やウキ止めの動きを円滑にして、遊動ウキとして効果的に作動させることができる。
（ｊ）道糸の動きを案内するためのウキ止め規制部がウキ本体に備えられているので、ウキ本体に対する道糸の動きを円滑にすると共に、ウキ止めが不用意にウキ止め規制部に引っ掛かって固定されるのを防止することでき、ラインコントロールの操作を容易に行うことができ、釣果を高めることができる。
（ｋ）スイベル等のウキ止め規制部における環状部の孔の大きさをウキ止めより小さくした場合は、このウキ止めの位置より竿側にウキ本体が移動するのを防止して、ラインコントロールをさらに容易に行うことができ、利便性に優れる。
（ｌ）軸方向に自在に回動できるスイベル等のウキ止め規制部を介して道糸を案内する環状部がウキ本体に配置されるので、ウキ本体に対してその道糸挿通孔内を摺動する道糸が絡むようなことが少なく、このようなトラブルに煩わされることなく釣りを楽しむことができる。
ここで、仕掛けに用いられるウキ本体は、全体形状がどんぐり形のどんぐりウキや、一対の円錐の底面を合わせた形の円錐ウキ、球形の玉ウキ、棒状ウキ、全体が細長で回転楕円体形状のもの等が該当する。
ウキ本体は、木製や合成樹脂製の中実体、又は金属製の外殻部と内部に充填されたポリウレタン等の発泡樹脂体からなる２層構造の物などが適用できる。またウキ本体の材質は、桐、檜、コルク、ラミン、カシ、パーシモン等の木質材、又はポリスチレン、ポリエチレン、ポリカーボネイト、ポリオレフィン、ポリアミド、ポリエステル等の合成樹脂や発泡樹脂を用いることができる。また、蛍光塗料等でウキ本体を塗布してその視認性を向上させてもよい。
道糸挿通孔は、その口径はウキ止めより大きい約２〜５ｍｍであって、ウキ本体に貫通してその軸心の位置、又は軸心に平行位置に配置される。この道糸挿通孔は、ポリ塩化ビニル、ポリプロピレン、ポリカーボネイト等の合成樹脂や、アルミニウム、銅、ステンレス等の金属、アルミナシリカ質のセラミックス等からなる管状体を配置するか、又は予め作成したウキ本体をドリル等で穿孔して形成することができる。
【０００７】
ウキ止めは道糸の所定箇所に縛り付けられて固定された糸玉状の糸状体や、その摩擦力で道糸上に固定された短いゴム管もしくは小型の鉛玉等の錘等であり、その外径はおよそ１〜３ｍｍである。このウキ止めに力を加えて道糸上を滑らせて、道糸上の所定位置に固定した状態で用いることができるが、接着剤等で動かないように固定して用いてもよい。
ウキ止め掛止部は、ウキ本体の道糸が取り付けられる竿側と反対側の後端開口に、ウキ止めより小さい幅の溝を有して形成された部分であり、道糸挿通孔をウキ本体に形成した後に、開口の周囲を溝状に一方向に切削加工する等の方法で設けることができる。
【０００８】
環状掛止部は、例えば金属製や合成樹脂製の線材をＵ字状に湾曲させその両基端部をウキ本体に接着剤を介して埋め込んで固定したり、あるいは環状の線材の一部をウキ本体の係止部に取り付けたりすることにより形成できる。
【０００９】
ここで、ウキ止め規制部は、スイベル、サルカン等とも呼ばれその軸方向に回転して、掛止される道糸のよじれを防止する掛止具や、鎖、複式リング、鎖などのような先端がピンで結合された部分が自由に回転もしくは回動できるようになったものであり、このスイベルや鎖、リングなどの１又は複数を結合部等を介して連結して所定長さに調整して用いることができる。
【００１０】
請求項２に記載の仕掛けは、請求項１に記載の発明において、前記道糸挿通孔の前端開口及び／又は後端開口に一様に拡径して形成されたウキ止め導入部を有して構成されている。
この構成によって、請求項１で得られる作用の他、以下の作用が得られる。
（ａ）道糸挿通孔の前端開口及び／又は後端開口に一様に拡径して形成されたウキ止め導入部を有しているので、ウキ本体の道糸挿通孔の軸心方向に対して道糸の角度が多少変化しても、道糸挿通孔の開口において道糸にかかる摩擦力が軽減され、道糸をスムーズに摺動させることができる。
（ｂ）道糸挿通孔の開口にウキ止め導入部を有するので、道糸に配置されるウキ止めが開口で引っ掛かるのを防止でき、道糸挿通孔内を行き来するウキ止めの動きを安定にすることができ、竿を用いたラインの操作性をさらに向上できる。
ここで、ウキ止め導入部における面取り部の直径ｄは、道糸挿通孔の孔径Ｄに対して、その１／３〜３倍程度とすることが好ましい。これは直径ｄが直径Ｄに対してその１／３倍より少なくなると、道糸上に固定されたウキ止めが開口の近傍で引っ掛かり易くなると共に、道糸との摩擦抵抗が大きくなってウキ本体の遊動動作が緩慢になるからであり、逆に３倍を超えるとウキ本体の全体形状のバランスが崩れ水流に対する抵抗が大きくなる。（ａ）道糸挿通孔の前端開口及び／又は後端開口に一様に拡径して形成されたウキ止め導入部を有しているので、ウキ本体の道糸挿通孔の軸心方向に対して道糸の角度が多少変化しても、道糸挿通孔の開口において道糸にかかる摩擦力が軽減され、道糸をスムーズに摺動させることができる。
（ｂ）道糸挿通孔の開口にウキ止め導入部を有するので、道糸に配置されるウキ止めが開口で引っ掛かるのを防止でき、道糸挿通孔内を行き来するウキ止めの動きを安定にすることができ、竿を用いたラインの操作性をさらに向上できる。
ここで、ウキ止め導入部における面取り部の直径ｄは、道糸挿通孔の孔径Ｄに対して、その１／３〜３倍程度とすることが好ましい。これは直径ｄが直径Ｄに対してその１／３倍より少なくなると、道糸上に固定されたウキ止めが開口の近傍で引っ掛かり易くなると共に、道糸との摩擦抵抗が大きくなってウキ本体の遊動動作が緩慢になるからであり、逆に３倍を超えるとウキ本体の全体形状をバランスが崩れ水流に対する抵抗が大きくなる。
【００１１】
請求項３の仕掛けは、請求項１又は２に記載の発明において、前記ウキ本体の前記ウキ止め掛止部側に埋設された錘を備えて構成されている。
この構成によって、請求項１又は２で得られる作用の他、以下の作用が得られる。
（ａ）ウキ本体を水に浮べた時に道糸挿通孔の軸心を水平面に対して所定角度に保持させることができるので、常時ウキ本体の姿勢を安定にして、魚信を的確に捉えることができ、当たりの検知性に優れている。
（ｂ）ウキ止め掛止部がウキ本体の下方に位置付けられるので、竿を用いたウキ止めのウキ止め掛止部からの取り外しや掛止の操作を容易に行える。
（ｃ）錘がウキ本体に内蔵されているので、道糸がウキ本体に絡まるのを防止して、快適に釣りを行うことができる。
ここで、錘の材料としては、鉛、銅、真鍮、ステンレス鋼、セラミックスやウキ本体の材料より比重の大きいプラスチック等が用いられる。錘は、これらの材料からなる粒状体や円盤状のもの等をウキ本体の内部に埋設した状態で使用する。この場合、ウキ本体の周壁部をドリルで穿孔し、この穿孔部にガン玉や、円盤状の鉛板等を挿入して隙間を接着材等で充填して固定配置する。次に、この開口部を合成樹脂のフィルム等で覆って封止し、さらに合成樹脂を塗布し補強して形成することができる。
【００１２】
【発明の実施の形態】
以下、本発明の実施の形態につき図面を用いて説明する。
（実施の形態１）
図１（ａ）は実施の形態１の仕掛けに用いる釣り用ウキの正面図であり、図１（ｂ）はその側面図である。
図１において、１０は実施の形態１の仕掛けに用いる釣り用ウキ、１１は全体が略楕円体状に形成されたウキ本体、１２は道糸の所定位置に固定されるウキ止めより大きい孔径でウキ本体１１に貫通して形成された孔径が２〜５ｍｍの道糸挿通孔、１３は道糸挿通孔１２の後端開口にウキ止めより小さい溝幅で一方向に拡径して形成されたウキ止め掛止部、１４は道糸挿通孔１２の軸心に対してウキ止め掛止部１３側のウキ本体１１に設けられた環状掛止部、１５は道糸挿通孔１２の軸心に対してウキ止め掛止部１３側と反対側のウキ本体１１に設けられた環状掛止部、１６は環状掛止部１５に取り付けられ道糸が通される環状部を有したスイベル等のウキ止め規制部、１６ａはウキ止め規制部１６を構成しその全体の長さを調節するための結合部、１７は道糸挿通孔１２の前端開口に拡径して形成されたウキ止め導入部である。
ウキ本体１１は、桐やパルサ材等の軽く加工の容易な木材や合成樹脂等を素材として、略紡錘型等に形成され、その軸心上又はその軸心から偏心した位置に道糸挿通孔１２が配置されている。
道糸挿通孔１２は、ドリル等でウキ本体１１を穿孔したり、合成樹脂製の管をウキ本体１１の内部に埋設したりして形成することができる。
道糸挿通孔１２の孔径は、後述するウキ止めが支障なく道糸挿通孔１２内を出入りできるようにウキ止めの大きさより大きく形成され、道糸挿通孔１２の前後の開口の一方又は両方には所定の大きさで一様に拡径して形成されたウキ止め導入部１７が配置されている。
ウキ止め掛止部１３は、ウキ本体１１のハリス側（竿先とは反対側）における道糸挿通孔１２の開口に巾がウキ止めより狭く深さが巾の２〜２０倍程度に形成された縦長の溝を有している。この溝の部分で、道糸挿通孔１２内を行き来する道糸を溝の方向に案内すると共に、竿を操作すること等によりウキ止めを溝に掛止させることができ、ウキ本体１１を瞬間的に引き寄せられ竿の操作における応答性が高められる。
スイベル等のウキ止め規制部１６は、スイベル等を単独でウキ本体１１に用いてもよいが、複数のものを結合部１６ａなどを用いて連結させて鎖状にして必要な長さに調節して用いることもできる。
ウキ本体１１の環状掛止部１４、１５にウキ止め規制部１６や錘を取り付け、この錘と道糸に取り付けたがん玉等の錘との両者の重量の組み合わせで、釣り用ウキ１０の浮力と仕掛け全体の沈下速度を適宜調整することができる。
【００１３】
ここで、図２は実施の形態１の仕掛けの一部拡大図である。図３は釣り用ウキの初期投入状態の説明図であり、図４は針先が沈下し釣り用ウキがウキ止め規制部で掛止された状態の説明図であり、図５は釣り用ウキがウキ止め掛止部で掛止された状態の説明図であり、図６は水流に向かう順方向に配置された釣り用ウキの説明図であり、図７は釣り用ウキに魚が掛かった状態の説明図である。
図２〜図７において、２０は実施の形態１の仕掛けに用いる釣り用ウキ１０が適用される一端が竿に取り付けられた道糸、２１は道糸２０の所定位置に複数回結んで形成した結び玉やゴム管や鉛玉を固定したウキ止め、２２は環状掛止部１４に取り付けられたウキ本体１１を水に浮べた時の姿勢を調整するための錘、２３は釣り針の近くに固定された鉛玉である。
ウキ止め２１は道糸を結んで形成したり、適当長さのプラスチックなどの管状物を道糸を所定位置に接着剤などを介して固定して形成したりした部分であり、必要に応じて力を加えて道糸２０上を滑らせてその設定位置を調整することができる。ウキ止め２１の外径は道糸挿通孔１２の孔径より小さくするが、道糸２０が挿通されるウキ止め規制部１６の環状部よりは大きくして、釣り用ウキ１０のウキ止め規制部１６がウキ止め２１より竿先側に移動しないように限定して、釣り用ウキ１０が釣り針側に必要以上に移動しないようにしている。
【００１４】
次に、釣り用ウキ１０を用いた釣り方法について図２〜図７を参照しながら釣り用ウキ１０の動作について説明する。
まず、図２に示すようにウキ本体１１の道糸挿通孔１２とウキ止め規制部１６の環状部にウキ止め２１を固定した道糸２０を挿通して、図３に示すように釣り用ウキ１０が備えられた仕掛けをポイント近くの水面に竿を用いて投げ入れる。
このとき、釣り用ウキ１０は、ウキ本体１１の環状掛止部１４に取り付けられた錘２２やウキ本体１１の環状掛止部１４の内側に埋め込まれた錘（図示せず）等と道糸２０に取り付けられた鉛玉２３等とのバランス等により、投下された釣り用ウキ１０は傾斜した状態で水面に浮かび、ウキ止め掛止部１３の溝が下に向くように配置される。こうして、ウキ止め掛止部１３の細溝の開口部は常時、水面側を向くことになり、この細溝の部分に道糸２０を斜め下方に向けて滑らせる際のガイドとしての機能が与えられる。
【００１５】
図４に示すように、水中に仕掛けが入ると、鉛玉２３、針及び餌の重みで道糸２０がウキ本体１１の道糸挿通孔１２を滑りながら沈下して、最終的にウキ止め２１がウキ止め規制部１６の環状部で掛止され、停止状態になる。
【００１６】
次に図５に示すように、道糸２０を引くことでウキ止め２１はウキ止め規制部１６から離れてウキ止め掛止部１３の溝の部分で掛止され、予め設定した深さの遊泳層の魚を探ることができる。
【００１７】
図６に示すように、通常、水面近くの上層ではその下層より潮等の流れが速くなる。このため上層側の道糸２０がその下層側よりも強く流され、餌が掛けられる針先側の方向が潮の流れに逆らって移動する習性のある魚に対して逆方向となって、魚の食いが悪くなる。
本実施の形態では、水面上のウキ本体１１がウキ止め２１によって掛止されて水面の所定位置に留まり、一方、下層の針先側が潮の流れや水流で流されるので、図６に示すように水流に逆らって移動する魚の口先に向けて餌のついた針先側を配置することができる。このため餌に対する魚の食い込みをよくして、簡単に釣れるようになる。
【００１８】
図７に示すように、魚が餌に食いつくと魚の引く力で、ウキ本体１１の道糸挿通孔１２の軸は水平面に対して垂直に近い状態となる。こうして、ウキ止め２１をウキ止め掛止部１３から外して、道糸挿通孔１２を通過できるようにしてウキ止め掛止部１３に掛かることなく道糸２０を引くことができる。
ウキ止め２１がウキ止め掛止部１３に掛かったままの状態で魚が釣れた場合は、ウキ本体１１を水面から引き上げると、ウキ止め２１が道糸挿通孔１２の中心に位置するようなってウキ止め掛止部１３から外れるため、ウキ本体１１がその道糸挿通孔１２を介して道糸２０上を移動して、図３に示すウキ本体１１の初期投入位置に復帰させることができる。
【００１９】
このように、釣り用ウキ１０の移動、沈下運動は、道糸２０上のウキ止め２１の固定位置から竿先側の範囲に限定される。また、釣り用ウキ１０の動きを必要に応じてウキ止め掛止部１３の細溝位置からウキ止め規制部１６の先端位置（環状部位置）までの短距離の範囲に規制することもできるので、所定の範囲で遊動させることのできる遊動ウキとして用いることができる。
釣り用ウキ１０の道糸挿通孔１２の開口にはウキ止め導入部１７が設けられ、また道糸２０の動きを規制するウキ止め規制部１６を有しているので、仕掛けの投擲時や道糸２０の移動時に道糸２０が釣り用ウキ１０に絡まるなどのトラブルはほとんど起こらない。
また、道糸２０に固定するウキ止め２１の位置を棚の深さに応じて上下に移動させることによって、ウキ下の任意の一定の水深まで仕掛けを移動させることができるので、動き得る範囲を限定することのできる移動ウキとしても使用することができる。
こうして、通常の固定浮きの使用が不可能な比較的深い水層（深度１０〜３０ｍ）であっても、釣り針につけた餌の上下運動、仕掛け部分の角度調節等の種々のライン操作を行うことができ、釣技を展開することが可能となる。
仕掛け部分の回収時には、全体を手元に引っ張る動作による水の粘性抵抗によって道糸２０とウキ本体１１が同一直線上に配置される。この状態ではウキ止め２１はウキ止め掛止部１３の細溝から離脱して浮止めの機能が停止して投入時の位置にもどすことができる。
【００２０】
実施の形態１の仕掛けは以上のように構成されているので、以下の作用を有する。
（ａ）道糸挿通孔１２がウキ止め２１より大きい孔径を有しているので、道糸２０に固定されたウキ止め２１が道糸挿通孔１２内を通過して遊動でき、釣り用ウキ１０を遊動ウキとして機能させることができる。また、道糸挿通孔１２がその端部にウキ止め掛止部１３を有しているので、竿の操作等によりウキ止め２１をウキ止め掛止部１３の溝に掛止させ、釣り用ウキ１０を道糸２０に固定された固定ウキとしても機能させることができる。こうして変化する海象条件に応じて、釣り用ウキ１０を遊動ウキ又は固定ウキとして切り変えて、広範囲の遊魚層の魚を効率的に探ることができる。
（ｂ）ウキ止め２１をウキ止め掛止部１３に掛止させずに遊動ウキとして機能させた場合には、釣り針の動きが釣り用ウキ１０に直接的に作用しないので、魚を誘う自然な動きを容易に演出することができる。また、ウキ止め２１をウキ止め掛止部１３に掛止させた場合には、釣り用ウキ１０の動きによる魚信の検知を鋭敏にして、初心者でも容易に当たりを知ることができる。
（ｃ）ウキ本体１１に設けられた環状掛止部１４、１５にウキ本体１１の姿勢や沈下度等を調整するための鉛玉などの錘２２や、回転できるスイベル等の自在継ぎ手を含むウキ止め規制部を必要に応じて簡単に取り付けることができ、釣りにおける様々なバリエーションに対応でき、利便性に優れている。
（ｄ）環状掛止部１４、１５がウキ本体１１のウキ止め掛止部１３側及びその反対側に設けられているので、ここに錘やウキ止め規制部１６を取り付け、ウキ止め掛止部１３の溝を垂直方向に向けて位置付け、道糸２０を垂直方向に動かす際におけるウキ止め掛止機能を効果的に発揮させることができる。
（ｅ）環状掛止部１４、１５を道糸挿通孔１２の後端よりに配置し、ここに錘２２を取り付けることで道糸挿通孔の軸を水平面に対して斜めに傾けた状態に安定させ、ウキ本体１１の道糸挿通孔１２を通る道糸２０やウキ止め２１の動きを円滑にして、遊動ウキとしてさらに効果的に作動させることができる。
【００２１】
（ｆ）道糸２０の動きを案内するための環状部を有したウキ止め規制部１６がウキ本体１１に備えられているので、ウキ本体１１に対する道糸２０の動きを円滑にすると共に、ウキ止め２１が不用意にウキ止め掛止部１３の溝に引っ掛かって固定されるのを防止することでき、ラインコントロールの操作を容易に行うことができ、釣果を高めることができる。
（ｇ）道糸２０が通されるウキ止め規制部１６の環状部の孔の大きさをウキ止め２１より小さくして、ウキ止め２１の位置より竿側にウキ本体１１が移動するのを防止できので、ラインコントロールをさらに容易に行え、利便性に優れる。
（ｈ）回転できるスイベルや結合部１６ａ等からなるウキ止め規制部１６を介して道糸２０を案内する環状掛止部がウキ本体１１に配置されているので、ウキ本体１１に対してその道糸挿通孔１２内を摺動する道糸２０が絡むようなことが少なく、仕掛けの絡みによるトラブルを防止できる。
（ｉ）釣り用ウキ１０がウキ止め導入部１７を有するので、道糸２０に配置されるウキ止め２１がその開口で引っ掛かるのを防止でき、道糸挿通孔１２内を行き来するウキ止め２１の動きを安定にすることができ、竿を用いたラインコントロールの操作性をさらに向上できる。
【００２２】
（実施の形態２）
図８は実施の形態２の仕掛けに用いる釣り用ウキの使用状態を示す要部正面図である。
図８において、３０は実施の形態２の仕掛けに用いる釣り用ウキ、３１は全体が略楕円体状に形成され水に浮かべた時の姿勢を所定の傾きに保持させるための錘３１ａが埋設され内蔵されたウキ本体、３２は道糸２０の所定位置に固定されるウキ止めより大きい孔径でウキ本体３１に貫通して形成された孔径が２〜５ｍｍの道糸挿通孔、３３は道糸挿通孔３２の後端開口にウキ止めより小さく道糸２０の径より大きい溝幅で一方向に拡径して形成されたウキ止め掛止部である。
なお、実施の形態２の仕掛けに用いる釣り用ウキ３０は、ウキ本体３１がその姿勢を制御するための錘３１ａが埋設され内蔵されている点と、ウキ本体に設けられる環状掛止部を有していない点とで実施の形態１の釣り用ウキ１０とは異なる構成を有している。
【００２３】
ウキ本体３１は、木材や合成樹脂等を素材として、略回転楕円体状等の中実体あるいは中空体として形成され、その回転楕円体状の軸心上又はその軸心から偏心した位置に道糸挿通孔３２が形成されている。ウキ本体３１は、ウキ止め掛止部３３より竿側に埋め込まれて内蔵された鉛板や鉛玉等の錘の重量やその位置によって、姿勢が調整されている。これによって、ウキ本体３１を水に浮かべたときや水中に引き込まれたときの道糸挿通孔３２の軸心の水平面に対する角度θを所定の角度範囲、例えば−５度〜＋８０度、好ましくは＋１０度〜＋４５度の角度範囲で安定して保持させると共に、ウキ止め掛止部３３の溝が上方に向かって開口するような姿勢を維持させている。
なお、このような角度の調整は、実施の形態１で説明したウキ本体１１の表層に突出して形成された環状掛止部１４、１５に所定質量の錘を掛止させることによっても同様に行うことができる。
ここで、前記角度θが＋１０度より小さくなるにつれ、釣り用ウキ３０が前のめりになって道糸挿通孔３２内を摺動する道糸２０の動きが悪くなりラインの操作性が低下する傾向にあり、逆に＋４５度を超えるにつれ、ウキ本体３１の姿勢が直立状態に近くなって、魚信を敏感にとらえるための応答性が悪くなる傾向が現れる。また、これらの傾向は角度θが−５度より小さくなるか、＋８０度を超えるとさらに顕著になるので好ましくない。
【００２４】
ここで、図９（ａ）は実施の形態２の仕掛けに用いる釣り用ウキの遊動状態の説明図であり、図９（ｂ）はウキ止めで掛止された釣り用ウキの説明図であり、図９（ｃ）は道糸挿通孔内をウキ止めが移動するときの遊動状態を示す説明図である。
なお、実施の形態１と同様の機能を有するものについては同一の符号を付してその詳しい説明を省略している。
道糸挿通孔３２の孔径は、図９（ｃ）に示すように、道糸挿通孔３２の内径はウキ止め２１が支障なく道糸挿通孔３２内を出入りできるようにウキ止め２１の大きさより大きく形成されている。なお、必要に応じて道糸挿通孔３２の前後の開口の一方又は両方に所定の大きさで一様に拡径して形成されたウキ止め導入部を配置して、ウキ止め２１の道糸挿通孔３２への出入り動作を容易にできるようにしてもよい。
ウキ止め掛止部３３は、ウキ本体３１の竿先側及び／またはその反対側（ハリス側）における道糸挿通孔３２の開口に巾がウキ止め２１より狭く形成された縦長の溝を有しており、竿の操作や潮流の動きを利用することにより図９（ｂ）に示すようにウキ止め２１をウキ本体３１に掛止させることができる。
【００２５】
実施の形態２の仕掛けに用いる釣り用ウキは以上のように構成されているので、実施の形態１の作用の他に以下の作用を有する。
（ａ）内蔵された錘３１ａを有するので、ウキ本体３１を水に浮べた時に道糸挿通孔３２の軸心を水平面に対して所定角度に保持させることができ、常時ウキ本体３１の姿勢を安定にして魚信を的確に捉えることができ、当たりの検知性に優れている。
（ｂ）ウキ止め掛止部３３がウキ本体３１のハリス側に位置付けられるので、竿を用いたウキ止め２１のウキ止め掛止部３３からの取り外しや掛止の操作を容易に行える。
（ｃ）錘３１ａがウキ本体３１に内蔵されているので、道糸２０がウキ本体３１に絡まるのを防止して、快適に釣りを行うことができる。
【００２６】
【発明の効果】
本発明の請求項１に記載の仕掛けによれば、以下の効果が得られる。
（ａ）道糸挿通孔がウキ止めより大きい孔径を有しているので、道糸に固定されたウキ止めが道糸挿通孔内を通過でき、竿の長さに比較して深い遊泳層で釣られた魚でも無理なく手もとに取り込むことができ操作性に優れている仕掛けを提供することができる。
（ｂ）釣り用ウキが道糸に固定されず、所定範囲内で移動できる遊動ウキとして機能させることができる。また、道糸挿通孔の後端開口にウキ止めより小さい溝幅で一方向に拡径して形成されたウキ止め掛止部を有しているので、竿の操作等によりウキ止めをウキ止め掛止部の溝に掛止させ、釣り用ウキを道糸に固定された固定ウキとしても機能させることができる。こうして、潮流や天候、時間等で変化する釣り条件に応じて、釣り用ウキを遊動ウキ又は固定ウキとして切り変えて用いることもでき、上層から下層にわたる広範囲の遊魚層の魚を効率的に探ることで顕著な釣果を得ることができる仕掛けを提供することができる。
（ｃ）ウキ止めをウキ止め掛止部に掛止させずに遊動ウキとして機能させた場合には、釣り針の動きが釣り用ウキに直接的に作用しないので、魚を誘う自然な動きを容易に演出することができる。また、ウキ止めをウキ止め掛止部に掛止させウキの遊動を止めることにより、ウキの棚を変えないで、エサを先行させることができ、釣り用ウキの動きによる魚信の検知を鋭敏にして、初心者でも容易に当たりを知ることができる仕掛けを提供することができる。
（ｄ）竿の操作により遊動ウキ又は固定ウキとし切り替えることができるので、釣技を発揮しながら魚を釣ることで釣りの醍醐味をさらに増すことができる仕掛けを提供することができる。
（ｅ）釣り用ウキを用いることで釣り用仕掛けにラインコントール性が付与されるので、釣り方法の幅を広げて多様な種類の魚を釣ることができる仕掛けを提供することができる。
（ｆ）釣り用ウキが道糸挿通孔と、ウキ止め掛止部とで簡単に構成できるので、製作が容易であり経済性に優れる仕掛けを提供することができる。
【００２７】
（ｇ）ウキ本体に設けられた環状掛止部にウキ本体の姿勢や沈下度等を調整するための錘や、回転できる自在継ぎ手（スイベルジョイント）等を必要に応じていつでも、しかも簡単に取り付けることができ、釣りにおける様々なバリエーションに対応できる利便性に優れている仕掛けを提供することができる。
（ｈ）環状掛止部がウキ本体のウキ止め掛止部側及び／又はその反対側に設けられているので、ここに錘やスイベル等を取り付けた場合は、ウキ止め掛止部の溝を垂直方向に向けて位置付けることができ、道糸を垂直方向に動かす際におけるウキ止め掛止機能をより効果的に発揮させることができる仕掛けを提供することができる。
（ｉ）環状掛止部を道糸挿通孔の後端よりに配置し、ここに錘を取り付けた場合には、道糸挿通孔の軸を水平面に対して斜め傾けた状態に安定させることができ、ウキ本体の道糸挿通孔を通る道糸やウキ止めの動きを円滑にして、遊動ウキとして効果的に作動させることができる仕掛けを提供することができる。
【００２８】
（ｊ）道糸の動きを案内するためのウキ止め規制部がウキ本体に備えられているので、ウキ本体に対する道糸の動きを円滑にすると共に、ウキ止めが不用意にウキ止め掛止部に引っ掛かって固定されるのを防止することでき、ラインコントロールの操作を容易に行うことができ、釣果を高めることができる仕掛けを提供することができる。
（ｋ）ウキ止め規制部における環状部の大きさをウキ止めより小さくした場合は、このウキ止めの位置より竿側にウキ本体が移動するのを防止して、ラインコントロールをさらに容易に行うことができ、利便性に優れる仕掛けを提供することができる。
（ｌ）軸方向に自在に回動できるスイベル等のウキ止め規制部を介して道糸を案内する環状部がウキ本体に配置されるので、ウキ本体に対してその道糸挿通孔内を摺動する道糸が絡むようなことが少なく、このようなトラブルに煩わされることなく釣りを楽しむことができる仕掛けを提供することができる。
【００２９】
請求項２に記載の仕掛けによれば、請求項１で得られる効果の他、以下の効果が得られる。
（ａ）道糸挿通孔の前端開口及び／又は後端開口に一様に拡径して形成されたウキ止め導入部を有しているので、ウキ本体の道糸挿通孔の軸心方向に対して道糸の角度が変化しても、道糸挿通孔の開口において道糸にかかる摩擦力が軽減され、道糸をスムーズに摺動させることができる仕掛けを提供することができる。
（ｂ）道糸挿通孔の開口にウキ止め導入部を有するので、道糸に配置されるウキ止めが開口で引っ掛かるのを防止でき、道糸挿通孔内を行き来するウキ止めの動きを安定にすることができ、竿を用いたラインの操作性をさらに向上できる仕掛けを提供することができる。
【００３０】
請求項３の仕掛けによれば、請求項１又は２で得られる効果の他、以下の効果が得られる。
（ａ）ウキ本体を水に浮べた時に道糸挿通孔の軸心を水平面に対して所定角度に保持させることができるので、常時ウキ本体の姿勢を安定にして、魚信を的確に捉えることができ、当たりの検知性に優れている仕掛けを提供することができる。
（ｂ）ウキ止め掛止部がウキ本体の下方に位置付けられるので、竿を用いたウキ止めのウキ止め掛止部からの取り外しや掛止の操作を容易に行える仕掛けを提供することができる。
（ｃ）錘がウキ本体に内蔵されているので、道糸がウキ本体に絡まるのを防止して、快適に釣りを行うことができる仕掛けを提供することができる。
【図面の簡単な説明】
【図１】  （ａ）実施の形態１の仕掛けに用いる釣り用ウキの正面図
（ｂ）その側面図
【図２】  実施の形態１の仕掛けに用いる釣り用ウキを用いた仕掛けの一部拡大図
【図３】  釣り用ウキの初期投入状態の説明図
【図４】  針先が沈下し釣り用ウキがウキ止め規制部で掛止された状態の説明図
【図５】  釣り用ウキがウキ止め掛止部で掛止された状態の説明図
【図６】  水流に向かう順方向に配置された釣り用ウキの説明図
【図７】  釣り用ウキに魚が掛かった状態の説明図
【図８】  実施の形態２の仕掛けに用いる釣り用ウキの使用状態を示す要部正面図
【図９】  （ａ）実施の形態２の仕掛けに用いる釣り用ウキの遊動状態の説明図
（ｂ）ウキ止めで掛止された釣り用ウキの固定状態の説明図
（ｃ）道糸挿通孔内をウキ止めが移動する釣り用ウキの遊動状態の説明図
【符号の説明】
１０  釣り用ウキ
１１  ウキ本体
１２  道糸挿通孔
１３  ウキ止め掛止部
１４  環状掛止部
１５  環状掛止部
１６  スイベル（ウキ止め規制部）
１６ａ  結合部（ウキ止め規制部）
１７  ウキ止め導入部
２０  道糸
２１  ウキ止め
２２  錘
２３  鉛玉
３０  釣り用ウキ
３１  ウキ本体
３１ａ  錘
３２  道糸挿通孔
３３  ウキ止め掛止部
【図１】
0004629898.tif 000002
【図２】
0004629898.tif 000003
【図３】
0004629898.tif 000004
【図４】
0004629898.tif 000005
【図５】
0004629898.tif 000006
【図６】
0004629898.tif 000007
【図７】
0004629898.tif 000008
【図８】
0004629898.tif 000009
【図９】
0004629898.tif 000010